(57)【要約】      （修正有）【課題】調理場のシンク内の底面を広く使えるシンク上部縁吊り下げ式生ごみ収納器の利点を、置き型生ゴミ収納器でその効果の実現をめざし尚且つさまざまなデザインや生ゴミ収納器上部の利用に清潔感の向上とシンク内のイメージアップを図る。【解決手段】上記の課題を解決するための手段として、生ゴミ収納器の設置されている位置に空間形成安定板を使いシンク面から離した位置に設定し空間を設ける。更に複数の新考案、除菌や芳香とシンク内の汚れを抑制するオプション的アイデアを複合しシンク内利便性とイメージアップを実現する。【選択図】図３
2014028701.tif 000002
【特許請求の範囲】
【請求項１】
各家庭の調理場のシンク内に設置される置き型生ごみ収納器において、
置き型生ゴミ収納器底部に安定板の先端部付近を接合し、極力シンク面側に沿った曲面またはシンク壁側方向へ向け合わせた形状を特徴とし壁際よりシンク底面の排水口に向けた、またはシンク排水溝付近まで伸ばした、置き型生ゴミ収納器本体を宙に浮かせたような空間ができる特徴を有する安定板を備えた置き型生ゴミ収納器。                    
【請求項２】
請求項１の安定板を備えた置き型生ゴミ収納器の空間成形安定板の接合部を水切り時の水分の受け皿を備え排水口付近まで（図―１Ｂ部）に水路を設け、
シンク内の汚れを抑制する特徴を有する安定板を備えた置き型生ゴミ収納器。
【請求項３】
生ごみ収納器本体の底部や側面部に調理具にあったホルダーを設け、シンク内での非使用時にシンク外に出して包丁等などのさまざまな調理具ホルダーとして利用できる通常の置き方以外の置き方で調理具ホルダーとして利用できる機能を備えた特徴を有する置き型生ごみ収納器。
【請求項４】
請求項３において請求項１の空間成形安定板の裏側に調理具ホルダーを形成
し非シンク内非常時に裏返しててシンク外で調理具ホルダーとして利用      できる空間形成安定板を備えた置き型生ごみ収納器。
【請求項５】
請求項１の置き型生ごみ収納器において、生ごみ収納器本体の左右（前後）どちらかに生ごみを捨てる際の方向を定め、その生ごみを捨てる側の側面、底面には水切り用の穴（孔、スリット）を設けず（水滴零れ防止ガイド面）、その反対側の側面、底面に水切り用の穴を設け、水切り用の穴の無い側の底部には反対側の水切り用の穴に水分等が集水排出されるテーパー形状を生ゴミ収納器本体底部片側に施した特徴を有する置き型生ごみ収納器。
【請求項６】
請求項４項において生ゴミ収納器本体と空間形成安定板とを分離式にして
さまざまな形状の空間形成安定板兼用調理具ホルダーに組み換える事が出来る特徴を有する空間形成安定板を備えた置き型生ゴミ収納器。
【請求項７】
生ゴミ収納器本体の構成において、構成している材料の持つ復元力とその時の振動で生ゴミ収納器本体内外に付着した水滴除去を目的として復元力増強構成された特徴を有する生ゴミ収納器。
【請求項８】
請求項７において、その振動を生ゴミ投下時の推進にも利用できる特徴を有する生ゴミ収納器。
【請求項９】
生ゴミ収納器本体の底部面の構成において水切り用の穴のあいている底面は通常平らだが、仮に水切り用の穴（孔、スリット等）を設けた底部面積が１００平方センチメートルとしたら２００平方センチメートルの面積を圧縮（波型やジグザグ変形）し１００平方センチメートルに合わせることで排水効率を倍増させる特徴を有する生ゴミ収納器。
【請求項１０】
請求項５の水滴零れ防止ガイド面を後付け可能としたユニット分割できる
特徴を有する生ゴミ収納器。
【発明の詳細な説明】
【技術分野】
【０００１】
本発明は、各家庭における調理場で使用される置き型生ゴミ収納器の安定板の構成方法に関するものである。
【背景技術】
【０００２】
特許登録―４７１２９０１に記載されている生ゴミ収納器上部を利用する際に安定板を備える事項。
インターネット検索での多数のカタログでは、シンク上部縁に固定させる吊り下げ式の収納器等があるが、シンクの下面の固定方法は置き型が主流であった。
【先行技術文献】
【特許文献】
【０００３】
特許登録―４７１２９０１  
登録実用―３１６５６２７、
登録実用―３１２２８５４
特願２００５−１３３０２２
【発明の概要】
【発明が解決しようとする課題】
【０００４】
調理場のシンク内の底面を広く使えるシンク上部吊り下げ式生ごみ収納器の利点を置き型生ゴミ収納器でその利点の実現化をめざし尚且つさまざまなデザインや生ゴミ収納器上部の利用に清潔感の向上とシンク内のイメージアップを図る。
【課題を解決するための手段】
【０００５】
上記の課題を解決するための手段として、従来の生ゴミ収納器の設置されている位置に、空間形成安定板を使いシンク面から離した位置に移動し元の位置に新しい空間を設ける。
更に生ゴミを捨てる際の水滴こぼれを抑制するいくつかの新技術をオプション的に複合しシンク内利便性の向上を実現する。
【発明の効果】
【０００６】
シンク内の利用スペースの改革と消臭や除菌効果等の向上。
生ごみ収納器のシンク内での非使用時の利用方法の提供。
シンク内での簡単な水滴除去方法を加えキッチンの床等の清潔感と利便性向上
【図面の簡単な説明】
【０００７】
【図１】空間成形安定板を備えた置き型生ゴミ収納器をシンクに設置した側面図
【図２】空間成形安定板を備えた置き型生ゴミ収納器をシンクに設置した上部投影図
【図３】水こぼれを防ぐ生ゴミ収納器正面投影図
【図４】生ゴミ落下防止ガイド部とその収納部の説明図
【発明を実施するための形態】
【実施例１】
【０００８】
以下、本発明についての説明に入る。
本発明は調理場で使用されているシンク底面に設置される置き型生ゴミ収納器において、置き型生ゴミ収納器の底部に空間成形安定板を備えてさまざまな置き型生ゴミ収納器のデザインや生ゴミ収納器上部の利用等と、清潔感の向上とシンク内のイメージアップを提供する考案である。
【０００９】
図―１Ａは、置き型生ゴミ収納器本体図で、そのＡ部底に安定板図―１Ｂの空間成形安定板上部接合しその部分図―１Ｄ部としている。
【００１０】
空間形成安定板には、いろいろなアイデアを複合するが、基本構造は単純であり置き型生ゴミ収納器の大きさに対応した巾と長さのある一枚の板からでも製造できる。
【００１１】
空間成形安定板の定義として、置き型生ゴミ収納器のよりシンク壁側方向へ向け壁際より下方向へ、シンク底面で排水口のある方向へ伸ばした形状で置き型生ゴミ収納器をシンク面より宙に浮かせたようなイメージで新しい空間を創りその空間を利用することである。
コの字形の＿を長くしたイメージと言うとわかりやすい。
【００１２】
その、コの字形＿部の長さと面積の設定しだいで置き型生ゴミ収納器上部の利用やさまざまなデザインにバランス的な対応できる安定板であるがシンク面に置く安定板の下側の上部面はシンク面としても利用する部分となり奥まった空間となるが、今まで生ごみ収納器が置く事で損失していたスペースを回収する考案であり、将来蓄電システムを置く位置とも考えられる。（０００９〜００１２請求項１関連）
【００１３】
また、接合部（図―１Ｄ）部を水切りの受け皿形状（テーパー状）にして安定板に水路を設け排水口をシンク壁側に向けて新たに設けた空間に生ゴミからでる汚れた水分が落ちない工夫も取り入れる。またシンク排水口付近まで安定板をつたわって流しシンク面全体の汚れを抑制する方法も加える事ができる。           
また、その水路の途中に除菌や芳香が必要に応じてセットできるユニット装着部を設ける事も可能である。
【００１４】
極力シンク面にそった形状の安定板が限られたシンクの中で理想とも思われるが、デザイン重視の場合などでは水切り用の受け皿が置ける程度となるが、空間成形安定板を備えた利用のし方はユーザーが決める事でもある。
【００１５】
また、受け皿を備え水路を加える場合、空間形成安定板本体を空洞化し（パイプ状）更に分割できる構成で掃除が行なえる仕様が望まれる。（その場合は生ゴミ収納器本体底部の面積をしぼることが理想と考える。）（００１３〜００１５請求項２関連）
【実施例２】
【００１６】
実施例２とは、実施例１記載の空間形成安定板を備えた生ごみ収納器のバージョンアップを図った考案である
【００１７】
従来、生ごみ収納器の用途目的は調理中にでるシンク内の生ごみを収納しておくための容器が一般的であった。
【００１８】
最近では、ディスポーザーや排水溝入口付近に水切りネットをかぶせて生ごみを溜める方法などがあり必要性を感じないユーザーも増えている傾向も窺える。
【００１９】
しかし排水口に水切りネットをかぶせた方法は、水切りネットの使用枚数量が増え不経済的な問題点の声も聞く。個人差はあるが、便利な方法として生ごみ収納器との臨機応変に使い分けるのが望ましい方法と考える。
【００２０】
今回の考案は、生ごみ処理を排水溝で行うユーザーにお薦めであり、生ごみ収納器をあまり使わないユーザーの方に好んでいただける考案である。それは生ごみ収納器の非使用時に関する生ごみ収納器の新利用方法にある。非使用時シンク内からはずし、戸棚にはしまわずに調理場のシンク外上部やキッチンカウンターにおいて調理具ホルダーとして利用する考案である。
【００２１】
実施例１記載の空間形成安定板を備えた置き型生ごみ収納器を通常使用時と上下逆に置き、
空間成形安定板の面に安定の妨げにならぬ程度の調理具ホルダー形状を複合する。
【００２２】
もちろんこの考案は、空間成形安定板の有無にかかわらず生ごみ収納器本体底部に調理具ホルダー形状を複合でもよい。
【００２３】
しかし、生ごみから離れた空間形成安定板を備えた位置に調理具ホルダーを形成したほうが、衛生的で幅の広い調理具に対応できるし、3次元的調理具ホルダーで生ごみ収納器としても利用できるといった万能ホルダーの部類に見えてきたりもする事だろう。さらに本体と空間形成安定板とを分割ユニット式の構成にすれば、さまざまな仕様をほどこした空間形成安定板兼用調理具ホルダーを別売りし多くのユーザーニーズに応えられると考える。
【００２４】
また、非使用時の利用方法として、上下逆と記載したが生ごみ収納器を横置きに対応させた調理具ホルダーでもよい。（凹凸形状や切れ込み調理具に合わせた形状等でホルダー形状の限定は出来ない。また砥石を取り付け包丁研ぎに。）
【００２５】
三角だと通常使用時の置き方以外に４通りの置き方が可能で、４角だと５通りの置き方が可能で置く位置に合わせた調理具ホルダー部を形成する事も可能である。
（００１６〜００２５請求項３、４  ６関連）
【実施例３】
【００２６】
次に請求項５項７項記載の生ごみに入った生ごみ収納器を手に持ってゴミ箱へ捨てる際の汚れた水滴零れを防ぐ策についてである。
【００２７】
図１の空間形成安定板のＤ部からＢ部への曲面のシンク壁に沿っている位置付近に手で持ちやすい凹凸形状を加え、生ゴミを捨てる際の方向（角）を定めその角を生ゴミ収納器本体外側に傾けゴミ箱に容易に投入することも可能となる。
【００２８】
調理中に出る生ごみは、シンク内に設置した生ごみ収納器（三角コーナー）に水切り袋とを併用使用して生ごみの入った袋だけを生ゴミ収納器から取り出しゴミ箱に移す方法が一般的だと思われる。また水切り袋を使わず溜まった生ごみを生ごみ収納器ごと手に持ってゴミ箱に移し入れる使い方もある。
【００２９】
実施例３は水切り袋の使用有無、前期考案の空間成形安定板の有無に関わらずシンク内に設置した生ごみ収納器内に溜まった生ごみを生ゴミ収納器本体ごと手に取ってゴミ箱に移し入れる時、その移動中に生ごみ収納器内外に付着している水滴の零れを抑制する対策方法に関する考案である。
【００３０】
一般的な生ごみ収納器はほとんどの製品が左右対称に水切り用の穴（孔、スリット等）が設けられていて、その複数の穴から収納器内部の水分を余すことなく排出させるこれまでの一般的な手段であった。
【００３１】
しかし、シンク内で使用中の生ごみ収納器本体をシンク設置位置より手に取って移動を行うと、水切りが済んでいても生ゴミ収納器本体内外の水滴は残っていて四方八方に開けられた水切り用の穴（丸状、四角、線状等）から生ごみ収納器内外にある水滴が傾きや振動によって付着している水滴零れが生じてゴミ箱までの移動時に  キッチンの床等を汚してしまう事は誰もが感じたことがあると考えられる。
【００３２】
そんな問題点の解決策としてザックリと簡単に説明すると、生ごみ収納器本体真上からみて（生ゴミ収納器、容器全体）の右半分、または左半分は水切り用の穴を開けない水滴落下防止ガイド面側とし、シンク内から出すときに、手に持って水切り用の穴のない水滴落下防止ガイド面側に傾けてゴミ箱まで移動すれば大半の汚れた水滴零れは防げると考える。
【００３３】
生ゴミ収納器の水切り用の穴が本体片側にしか施されていないと水切り用の穴が開いていない底部の角を中心に水分が溜まりやすくなる。ゴミ箱に生ゴミ収納器内の残留水分を一緒に捨てるわけにはいかない。
その対策案として００３２の水切り用の穴が片側しかない生ごみ収納器のシンク内に設置時においては、シンク内部の傾斜角度を考慮し、水切り用の穴を開けない側の底の形状は、逆側の水切り用の穴の開いている側底部の水切り用の穴が施されている位置に水分が集まるテーパー形状とする事でシンク設置時に水分を十分逃がせる。テーパー状を施すと収納容量が減るため非対称形とする。
また、水切り用の穴のあいている底面は通常平らだが、仮に水切り用の穴（孔、スリット等）を設けた底部面積が１００平方センチメートルとしたら２００平方センチメートルの面積を圧縮（波型やジグザグ変形）し１００平方センチメートルに合わせることで排水効率を倍増させる対策が必要な場合も想定できるが、生ゴミ収納器の底面は極力なめらかな面が理想である。従来技術の中に底部を波型にした考案があるが目的効果がことなる。孔、スリットを設けた水切り板面積の圧縮による排水効果向上は他の水切りにも流用可能の考案である。（未調査）
（請求項９関連）
【００３４】
簡潔な説明例として水切り用の穴の有無を生ゴミ収納器総体の右左（穴有５：５穴無）で説明したが、生ごみ収納器本体の形状によっては（穴有６：４穴無、穴有３：７穴無）などでも可能であり、
（底部穴有５：５穴無  中位穴有６：４穴無  上部穴有７：３穴無）とか（底部穴有７：３穴無  中位穴有５：５穴無  上部穴有５：５穴無など）いろいろな割合が想定でき簡潔説明上左右に分けたが、生ごみの入った生ごみ収納器を手に持って捨てる際、おおよそ生ごみ収納器本体の縦割りで半分ほど水切り用の穴を開けずその穴の開けてない方向へ傾けて移動する事で汚れた水滴零れを抑制できる水切り用の穴を配列した生ごみ収納器という事である。
また、生ゴミ収納器のデザインによりスリットや穴の配位例は効率的な追求で大きくその割合が変化する事は言うまでもない。
（三角コーナーの場合は3か所の角の鋭角の２か所の片方を捨てる位置と定めその２か所を右左に分けると前記説明がわかりやすい。）
【００３５】
００２６〜００３５まで生ゴミ収納器に付着した水滴落下防止ガイド面とした説明において左右対称に開けた水切り穴の開けた生ゴミ収納器の場合は、生ゴミ収納器本体に施された水切り用の穴のおおよそ半分の水切り用の穴をふさぐワンタッチ脱着可能な水滴落下防止ガイド面（市販されている生ゴミ収納器に後付で水切り用の穴を必要におおじてふさぎ水滴こぼれ防止ガイド面を形成するカバーの事）のユニット構成によるオプション的な分離式でもよい。（請求項１０関連）
（
【００３６】
生ごみ収納器に開けられている水切り用の穴の位置構成において、水滴落下防止ガード面を構成の他に振動を与え水滴を除去する方法も取り入れる。
【００３７】
振動を与え水滴を除去する方法とは、生ゴミ収納器本体を構成している材質の弾力性を利用する。例えば空のペットボトルの中腹を手で押しつぶすとある程度まではへこましても
もとに戻る、このもとに戻るときの振動力を利用し生ゴミ収納器内外に付着した水滴をはじき飛ばす考案である。
生ゴミ収納器本体を構成する材質の復元力特性を利用する事である。
【００３８】
前記００３７の応用として生ゴミ収納器（三角コーナー）では、三つの角があり三辺から構成されておりそのうちの２辺を手で押し込み離した時（または手の力を弱めた時）に勢いよく戻るように工夫することで、これを数回繰り返せば生ゴミ収納器本体や水切りの穴に付着した水滴が振動で除去される考案である。
【００３９】
その工夫とは、生ゴミ収納器本体の構成面の強度に形状を考慮した部分的な強弱を施し、
復元時振動の増強を図る構造で水滴を弾き飛ばす考案であり、従来の生ゴミ収納器形状のままこの機能をくわえることも可能な範囲と考える。
【００４０】
前記００３６〜００３９記載の振動効力は生ゴミをゴミ箱に移し入れる際にも有効であり生ゴミ収納器内の生ゴミをゴミ箱へ落とす際の促進効力にも利用でき、最終的な水滴除去を行うことでシンクまで水滴零れを心配しなくてすむ。（請求項８関連）
【００４１】
多数の構成方法があるが（切れ込み、厚み落差、自動車等の鉄板強度構成理論などの応用）、シンプルな方法が優先されるのは必然である。ここでは生ゴミ収納器（三角コーナー）の
水滴除去法としているが多種多数ある容器の水滴除去にも流用できると思われる。
【００４２】
また、自転車のベルをスプリングアームで叩く様な応用や、生ゴミ収納器の側面を部分的に重ね合わせ、重ねあった部分を山型ジグザグにして山と山のずれ込み時の振動を増強する方法等もあるがやはりシンプル性が先行されると思う。
【００４３】
前記００３３〜００３７考案は前記００２６〜００３２考案に補助的な複合としているが
臨機応変な組み合わせと単一的な取り入れとが可能であるということである。
【００４４】
本考案の目的は、生ゴミの入った生ゴミ収納器本体をシンク内からゴミ箱までの移動時において、シンク内汚れた水滴零れを除去、抑制する事でキッチンの床等の清潔感向上と余計な掃除を軽減できる効果が期待できる
【００４５】
従来までの生ゴミ収納器はシンク内でほぼ完全に水が切れる事を想定しているが、現状は生ゴミ収納器の移動時の水滴零れ対策についての新案は手薄だったようだ。
【００４６】
説明が前後するが、生ゴミ収納器本体（三角コーナー）に水滴零れ防止ガイド面を施した側（角）が必然的にゴミ箱投入時の方向となるが、理想としては生ゴミを投入する側の側面角度を本体外側に寝かし広げたほうが手に持って捨てる際小さな角度で楽に捨てられる、また排水を目的とした底部のテーパー形状で損出した生ゴミ収納容量の回収ともなる。
【００４７】
優先権を主張した新規出願による図面追加に関わる説明。
【００４８】
優先権主張２０１２―１４１５２２以後添付した図３、４を基準とした本考案の主旨説明として、図３のK線より左側がこれまでの一般的な生ゴミ収納器だがK線右側は水滴こぼれ防止ガイド面となるスリットや穴が空いていない。また２分割された（I面とJ面）の生ゴミ収納器本体底部もスリットや穴の有無と水滴こぼれ防止ガイド面側には生ゴミ収納器左側から中心方向へ水分が流れる傾斜がついている。この生ゴミ収納器はシンク内設置時の水切りはすべて左側で行なうものである。説明上スリットや穴の有無を５：５としているがこの配分は生ゴミ収納器本体形状によって大きく変わる。またI面の穴は極力左側によせたほうが生ゴミ収納器を移動させるときの水滴こぼれの抑制には効果的だが水切り時の効率とのからみで設定はかわるものである（I面とJ面の比率は５：５〜２：８が理想で側面のスリットや穴と同じ位置関係ではない）。それから生ゴミ収納器ごとゴミ箱に移動するときにM方向に傾けることで水滴こぼれ防止ガイド面に遮断された生ゴミからの水滴こぼれが多分にして抑制できる考案である。
【００４９】
図４は生ゴミ収納機をゴミ箱まで移動させる際M方向の傾けて水滴こぼれ防止ガイド面に遮断される事から水滴溢れが抑制される。しかし移動時に開口部から生ゴミが落下する可能性が高いため水滴こぼれ防止ガイド面側上部は高さを延長したガイドを備え容易な移動を可能にできるP１。またその落下防止ガイド部を生ゴミ収納器本体上部にに簡単なスライド機構を利用し収納する説明P2、P3。Oの点線は傾けた際水滴溢れ抑制を向上させるために生ゴミ収納器容量を増やすイメージ線。
【産業上の利用可能性】
【００５０】
置き型生ゴミ収納器をインターネット検索しても類を見ない効果とイメージ持っている考案で取り入れる企業はたくさんあると見込める。
【符号の説明】
【００５１】
A    置き型生ゴミ収納器本体      
B    空間形成安定板  
C    シンク面板  
D    置き型生ゴミ収納器本体と空間安定板の接合部  
E    生ゴミ収納器本体
F１  生ゴミ収納器本体の通常の上げ底台
F２    生ゴミ収納器本体底部に傾斜に対応した長い上げ底台
G    側面水切り用のスリット（孔、穴）
H    底部水切り用のスリット（孔、穴）
I    水切り用の穴が開けてある底部面
J    水切り用の穴が無い傾斜のついた底部
K    生ゴミ収納器本体の中心線
（生ゴミ収納器本体のK線右側を水滴こぼれ防止ガイド面となる）
L    シンク内に設置される水平線
M    水こぼれしない移動時に傾ける方向線
N    GとJの接合部
O    本体を傾けた際の容量を増やす説明線
P１  本体を傾けた際の生ゴミ落下防止ガイド
P２  P１が収納される位置（点線）
P３  P１の上下スライドを可能とする説明矢印
【図３】
2014028701.tif 000003
【図４】
2014028701.tif 000004
【図１】
2014028701.tif 000005
【図２】
2014028701.tif 000006